(57)【要約】【課題】泡吐出モードと霧吐出モードとを切り替え可能な吐出スプレーを提供する。【解決手段】トリガー８の操作により射出筒１４から霧を吐出するスプレー本体２と、前記射出筒１４の装着された泡吐出モードと霧吐出モードとの切替が可能な筒状アダプタ２０とを具備し、筒状アダプタ２０は、射出筒外面への固定筒２４を有する固定部２２と、固定筒に対して泡吐出用位置及び霧吐出用位置の間で回転可能に枢着された回転部３０とからなる。回転部は、泡吐出用位置において射出筒１４の先方に当該射出筒１４から吐出される霧が当たる発泡用筒部３８を含む回転筒体３４を有する。前記回転部３０が泡発泡位置にある状態で筒状アダプタ２０内の吐出流路Ａのうち射出筒１４と発泡用筒部３８との間の箇所に開口する外気導入路Ｂを設ける。前記回転部３０を霧吐出用位置に回転させたときに回転筒体３４は射出筒１４の先方から離脱する。【選択図】図１
2019130478.tif 000002
【特許請求の範囲】
【請求項１】
トリガー(８)の操作により射出筒(１４)から霧を吐出するように構成されたスプレー本体(２)と、
前記射出筒(１４)の装着された泡吐出モードと霧吐出モードとの切替が可能な筒状アダプタ(２０)と、
を具備し、
筒状アダプタ(２０)は、射出筒(１４)外面への固定筒(２４)を有する固定部(２２)と、固定筒(２４)に対して泡吐出用位置及び霧吐出用位置の間で回転可能に枢着された回転部(３０)とで構成され、
回転部(３０)は、泡吐出用位置において射出筒(１４)の先方に当該射出筒(１４)から吐出される霧が当たるように配置された発泡用筒部(３８)を含む回転筒体(３４)と、固定部(２２)との枢着部位(Ｅ)から突設して前記回転筒体(３４)の基端部(３４ａ)に連結した連結片(３２)とを有し、
前記回転部(３０)が泡発泡位置にある状態で筒状アダプタ(２０)内に吐出流路(Ａ)を形成するとともに、この吐出流路のうち射出筒(１４)の先端と発泡用筒部(３８)との間の箇所に開口する外気導入路(Ｂ)を筒状アダプタ(２０)に貫設しており、
前記回転部(３０)を霧吐出用位置に回転させたときに前記回転筒体(３４)が射出筒(１４)の先方から離脱するように構成した、泡霧切替式吐出スプレー。
【請求項２】
前記固定筒(２４)の先端部は、射出筒(１４)の先端に開口する射出口(１４ａ)より先方へ突出する突出端部(２５)とするとともに、この突出端部(２５)を、前記回転筒体(３４)の回転を妨げないように当該回転筒体(３４)の基端部に連接させており、
この突出端部(２５)の外周面の少なくとも一辺に前記回転部(３０)の一部が当該回転部の回転操作時の摺接可能に当接され、この一部で形成する摺接板部(Ｓ)に吸気孔(ｂ１)を、また前記突出端部(２５)に前記泡吐出モードで前記射出口(１４ａ)と吸気孔(ｂ１)とを連通させる連通孔(ｂ２)をそれぞれ開口し、
これら吸気孔(ｂ１)及び連通孔(ｂ２)で前記外気導入路(Ｂ)を形成したことを特徴とする、請求項１に記載の泡霧切替式吐出スプレー。
【請求項３】
前記連結片(３２)で摺接板部(Ｓ)を形成し、この摺接板部(Ｓ)の内面を回転部(３０)の回転軸と垂直で平坦な閉塞用面(３３)とし、回転部(３０)を霧吐出モードに回転させたときに前記連通孔(ｂ２)を閉塞用面(３３)で塞ぐように形成されたことを特徴とする、請求項２に記載の泡霧切替式吐出スプレー。
【請求項４】
前記外気導入路(Ｂ)は、回転筒体(３４)の基端部(３４ａ)内面から当該回転筒体の先方へ回転筒体(３４)の筒壁を貫通するように形成したことを特徴とする、請求項１に記載の泡霧切替式吐出スプレー。
【発明の詳細な説明】
【技術分野】
【０００１】
本発明は、泡霧切替式吐出スプレーに関する。
【背景技術】
【０００２】
射出筒から内容物を吐出するトリガー式吐出器本体と、前記射出筒に嵌合されたノズル部材とからなり、ノズル部材の噴口から内容物を霧として噴出する吐出器が知られている（特許文献１）。
【先行技術文献】
【特許文献】
【０００３】
【特許文献１】特開２００８−３０７９８
【発明の概要】
【発明が解決しようとする課題】
【０００４】
特許文献１の吐出器は、内容物を専ら霧として吐出するものであり、その吐出態様を切り替えることは想定されていない。しかしながら、内容物を吐出する箇所に応じて、あるときには泡で、またあるときには霧でというように吐出態様を使い分けたいという要望がある。
【０００５】
本発明の目的は、泡吐出モードと霧吐出モードとを切り替えることができる吐出スプレーを提供することである。
【課題を解決するための手段】
【０００６】
第１の手段は、トリガー８の操作により射出筒１４から霧を吐出するように構成されたスプレー本体２と、
前記射出筒１４の装着された泡吐出モードと霧吐出モードとの切替が可能な筒状アダプタ２０と、
を具備し、
筒状アダプタ２０は、射出筒１４外面への固定筒２４を有する固定部２２と、固定筒２４に対して泡吐出用位置及び霧吐出用位置の間で回転可能に枢着された回転部３０とで構成され、
回転部３０は、泡吐出用位置において射出筒１４の先方に当該射出筒１４から吐出される霧が当たるように配置された発泡用筒部３８を含む回転筒体３４と、固定部２２との枢着部位Ｅから突設して前記回転筒体３４の基端部３４ａに連結した連結片３２とを有し、
前記回転部３０が泡発泡位置にある状態で筒状アダプタ２０内に吐出流路Ａを形成するとともに、この吐出流路のうち射出筒１４の先端と発泡用筒部３８との間の箇所に開口する外気導入路Ｂを筒状アダプタ２０に貫設しており、
前記回転部３０を霧吐出用位置に回転させたときに前記回転筒体３４が射出筒１４の先方から離脱するように構成した。
【０００７】
本手段では、スプレー本体の射出筒１４の装着された泡吐出モードと霧吐出モードとの切替が可能な筒状アダプタ２０を提案する。この筒状アダプタ２０は、射出筒１４外面への固定筒２４を有する固定部２２と、固定筒２４に対して泡吐出用位置及び霧吐出用位置の間で回転可能に枢着された回転部３０とで構成されている。また回転部３０は、泡吐出用位置において射出筒１４の先方に当該射出筒１４から吐出される霧が当たるように配置された発泡用筒部３８を含む回転筒体３４と、固定部２２との枢着部位Ｅから突設して前記回転筒体３４の基端部３４ａに連結した連結片３２とを有する。筒状アダプタ２０には、筒状アダプタ２０内の吐出流路Ａのうち射出筒１４の先端と発泡用筒部３８との間の箇所に開口する外気導入路Ｂが設けられており、この状態でトリガーを操作すると、射出筒１４から放出された霧が発泡用筒部３８に当たって発泡し、泡として吐出される。
また前記回転部３０を霧吐出用位置に回転させたときに前記回転筒体３４が射出筒１４の先方から離脱するように構成しており、この状態で内容物を霧として吐出できる。
【０００８】
「発泡用筒部」は、射出筒の先方に当該射出筒から吐出される霧が当たるように配置された筒部であり、好ましくは射出筒と同じ筒軸上に配置されることが望ましい。
なお、射出筒に対する発泡用筒部の位置決めを容易とするために、好適な図示例のように、回転筒体３４を霧吐出用位置から泡吐出位置へ回転したときに回転筒体３４と射出筒１４とが同一軸線上に配置された状態で回転筒体３４の回転を停止する泡吐出モード用位置決め手段Ｐを設けることができる。これにより、泡吐出モードのときに射出筒１４から放出される霧が発泡用筒部３８に当たる位置や角度を一定とすることができ、泡の質を均一にすることができる。
「回転筒体」は、発泡用筒部を含みかつ固定筒との枢着箇所を中心に回転可能な筒体であればよい。
「発泡用筒部を含む」とは、単一の筒壁の筒長方向の全部又は一部を発泡用筒部とした構成（図示せず）でもよいが、図示例のように、前記回転筒体３４を、発泡用筒部３８の基端側から先端大径でテーパ状の操作用筒部４０を突出してなる２重筒状に形成した構成としてもよい。この構成によれば、トリガー操作の際に操作用筒部４０を摘まんで回転させることができ、発泡用筒部３８を摘まんで操作する必要がないので、発泡用筒部３８に付着した泡が指に付く不都合を回避できる。
【０００９】
第２の手段は、第１の手段を有し、かつ
前記固定筒２４の先端部は、射出筒１４の先端に開口する射出口１４ａより先方へ突出する突出端部２５とするとともに、この突出端部２５を、前記回転筒体３４の回転を妨げないように当該回転筒体３４の基端部に連接させており、
この突出端部２５の外周面の少なくとも一辺に前記回転部３０の一部が当該回転部の回転操作時の摺接可能に当接され、この一部で形成する摺接板部Ｓに吸気孔ｂ１を、また前記突出端部２５に前記泡吐出モードで前記射出口１４ａと吸気孔ｂ１とを連通させる連通孔ｂ２をそれぞれ開口し、
これら吸気孔ｂ１及び連通孔ｂ２で前記外気導入路Ｂを形成した。
【００１０】
本手段では、前記固定筒２４の先端部は、射出筒１４の先端に開口する射出口１４ａより先方へ突出する突出端部２５としている。この突出端部２５の外周面の少なくとも一辺に、回転部３０の一部で形成する摺接板部Ｓを当接させている（図３参照）。そして摺接板部Ｓには吸気孔ｂ１を、前記突出端部２５には、前記泡吐出モードで吸気孔ｂ１を射出口１４ａに連通させる連通孔ｂ２をそれぞれ開口し、これら両孔で前記外気導入路Ｂを形成している。これにより、射出口１４ａへ十分な量の空気を提供することができる。
【００１１】
第３の手段は、第２の手段を有し、かつ
前記連結片３２で摺接板部Ｓを形成し、この摺接板部Ｓの内面を回転部３０の回転軸と垂直で平坦な閉塞用面３３とし、回転部３０を霧吐出モードに回転させたときに前記連通孔ｂ２を閉塞用面３３で塞ぐように形成された。
【００１２】
本手段では、前記連結片３２で摺接板部Ｓを形成するとともに、この摺接板部Ｓの内面を回転部３０の回転軸と垂直で平坦な閉塞用面３３としている。この構成では、回転部３０を泡吐出用位置から回転させても、摺接板部Ｓと突出端部２５とが離れることはないから、回転部３０を霧吐出モードに回転させたときに前記連通孔ｂ２を閉塞用面３３で塞いている。これにより外気の導入を規制することができ、吐出される霧の状態を良好とすることができる。
なお、「連通孔を閉塞用面で塞ぐ」というときは、閉塞用面が連通孔を覆っておりかつ外気の連通を実質的に規制していれば足り、摺接板部Ｓの連通孔形成箇所と閉塞用面との間にある程度の隙間（遊びなど）があってもよいものとする。
【００１３】
第４の手段は、第１の手段を有し、かつ
前記外気導入路Ｂは、回転筒体３４の基端部３４ａ内面から当該回転筒体の先方へ回転筒体３４の筒壁を貫通するように形成した。
【００１４】
本手段では、図１０又は図１２に示すように、記外気導入路Ｂは、回転筒体３４の基端部３４ａ内面から当該回転筒体の先方へ回転筒体３４の筒壁を貫通するように形成している。「回転筒体の先方」とは、回転筒体の先端へ近づく方向という程度の意味であり、外気導入路が回転筒体の先端部に達していなくてもよい。この構成では、筒状ノズルの側面に筒径方向に貫通する吸気孔を穿設する場合と比べて、比較的簡単に製造することができる。
図示例では、前記外気導入路Ｂは、前記発泡用筒部３８と操作用筒部４０との間を貫通しているが、必ずしも、こうした構成とする必要はなく、例えば回転筒体を単一の比較的肉厚の筒体とし、その筒壁を当該筒体の先端面又は外面へ貫通するように構成してもよい。
【発明の効果】
【００１５】
第１の手段に係る発明によれば、筒状アダプタ２０は、射出筒１４外面への固定筒２４を有する固定部２２と、固定筒２４に対して泡吐出用位置及び霧吐出用位置の間で回転可能に枢着された回転部３０とで構成され、回転部３０は、泡吐出用位置において射出筒１４の先方に当該射出筒１４から吐出される霧が当たるように配置された発泡用筒部３８を含む回転筒体３４を有し、かつ前記回転部３０を霧吐出用位置に回転させたときに前記回転筒体３４が射出筒１４の先方から離脱するように構成したから、回転部３０を回転する操作により、泡吐出モードと霧吐出モードとを切り替えることができ、便利である。
第２の手段に係る発明によれば、前記固定筒２４の先端部は、射出筒１４の先端に開口する射出口１４ａより先方へ突出するとともに回転筒体３４の基端部に連接させた突出端部２５とし、この突出端部２５の外周面に接する、回転部３０の摺接板部Ｓに吸気孔ｂ１を、また前記突出端部２５に前記泡吐出モードで前記射出口１４ａと吸気孔ｂ１とを連通させる連通孔ｂ２をそれぞれ開口することで外気導入路Ｂを形成したから、射出口１４ａに外気を効率的に供給することができる。
第３の手段に係る発明によれば、前記摺接板部Ｓは、回転部３０を霧吐出モードに回転させたときに前記連通孔ｂ２を密閉するように形成されたから、霧吐出モードで吐出流路Ａに外気が入ることがなく、良質の霧を吐出できる。
第４の手段に係る発明によれば、外気導入路Ｂは、回転筒体３４の基端部３４ａ内面から当該回転筒体の先方へ回転筒体３４の筒壁を貫通するように形成してなり、回転部３０の構造としてのみ形成されるから、筒状ノズルの側面に吸気孔を開口する必要がなく、簡単に製造できる。
【図面の簡単な説明】
【００１６】
【図１】本発明の第１実施形態に係る泡霧切替式吐出スプレーの泡吐出モードでの縦断面図である。
【図２】図１の吐出スプレーの要部の拡大断面図である。
【図３】図２に示す吐出スプレーの要部をＩＩＩ−ＩＩＩ方向から見た図である。
【図４】図２に示す吐出スプレーの要部をＩＶ−ＩＶ方向から見た図である。
【図５】図２に示す吐出スプレーの斜視図である。
【図６】図２に示す吐出スプレーの霧吐出モードでの縦断面図である。
【図７】図６に示す吐出スプレーの斜視図である。
【図８】図１に示す吐出スプレーの変形例を示す図であり、同図（Ａ）は泡吐出モードの状態を、また同図（Ｂ）は霧吐出モードの状態をそれぞれ示している。
【図９】本発明の第２実施形態に係る泡霧切替式吐出スプレーの泡吐出モードでの縦断面図である。
【図１０】図９の吐出スプレーの要部の拡大断面図である。
【図１１】本発明の第３実施形態に係る泡霧切替式吐出スプレーの泡吐出モードでの縦断面図である。
【図１２】図１１の吐出スプレーの要部の拡大断面図である。
【発明を実施するための最良の形態】
【００１７】
図１から図８は、本発明の第１実施形態に係る泡霧切替式吐出スプレーを示している。
この吐出スプレーは、スプレー本体２と、筒状アダプタ２０とで構成されている。これら各部材は、例えば合成樹脂や金属で製造することができる。
【００１８】
スプレー本体２は、従来公知の構造である。本実施形態のスプレー本体２は、好適な一例に過ぎず、その構造は適宜変更することができるものとする。
スプレー本体２は、本実施形態では、シリンダ３と、キャップ状部材４と、トリガー８と、ストッパ部材９と、作動部材１０と、正倒立用流路切替部材１７とで構成している。
【００１９】
シリンダ３は、シリンダ周壁３ａを有し、このシリンダ周壁の下部内に第１逆止弁Ｖ１を内蔵している。また図示例では、シリンダ周壁３ａの上部に鍔部３ｂを付設し、この鍔部３ｂの上面から取付筒部３ｃを起立している。
【００２０】
キャップ状部材４は、シリンダ３の上部を覆う部材であり、本実施形態では、下半部材５と上半部材６と支持片７とで形成されている。
前記下半部材５は、図１に想像線で示す容器体１００の口頸部１０２にシリンダ３を装着させるための部材であり、口頸部１０２の外面に嵌合（図示例では螺合）可能な装着筒部５ａの上端から内向きフランジ５ｂを突出している。そして口頸部１０２の外面に装着筒部５ａを嵌合させた状態で内向きフランジ５ｂと口頸部１０２の上端面との間にシリンダ３の鍔部３ｂを挟持させることができるように構成されている。
前記上半部材６は、前記シリンダ３の取付筒部３ｃに嵌合させた縦筒部６ａを有し、この縦筒部６ａの上端からフランジ状頂壁６ｂを介して保持筒部６ｃを起立している。この保持筒部６ｃは、後述の作動部材１０のステム１２を囲んでいる。なお、図示例では、下半部材５及び上半部材６を別体として形成しているが、これらを一体に形成させても構わない。この場合には、前記縦筒部６ａを内向きフランジ５ｂの上面から一体的に起立すればよい。
前記支持片７は、上半部材６の後側から上後方へ一体に突出している。なお、本明細書においては、便宜的に図１の左方を「前」と、同図の右方を「後」と、またこれらと直交する方向を「右」及び「左」と称するものとする。図示の支持片７は、後壁部７ａから左右一対の側壁部７ｂを突出してなる。これら両側壁部７ｂの基端側の上縁部には、後述のストッパ部材９を軸支するための軸受凹部７ｃが形成されている。また支持片７の上端部には、後述のトリガー８の後部を枢着した第１枢着部７ｄが形成されている。
【００２１】
トリガー８は、前記第１枢着部７ｄから前方へ突出するとともに、前側で下前方へ延びている。図示のトリガー８は、頂板８ａから左右一対の側板８ｂが垂下しており、これら側板８ｂの内面に後述の作動部材１０の上部と枢着する第２枢着部８ｄを形成し、トリガー８を後方へ引く操作により、作動部材１０を下降させることができるように形成している。また前記頂板８ａの一部に後述の作動部材１０の射出筒１４を挿通させるための貫通口８ｃが形成されている。
【００２２】
ストッパ部材９は、縦長の部材であり、支持片７の基端部とトリガーとの間に挟持されている。図示のストッパ部材９は、左右一対の係合板部９ａを有し、これら係合板部９ａの内面下部の間に軸棒部９ｂを架設するとともに、係合板部９ａの外面から摘み部９ｃを突出してなる。前記軸棒部９ｂは、支持片７の両側壁部７ｂの軸受凹部７ｃに軸止されるとともに、前記係合板部９ａの上部側をトリガー８の側板８ｂ下縁に係合させている。そして摘み部９ｃを把持して、軸棒部９ｂを中心に傾動させることにより、前記側板８ｂとの係合が解除され、トリガー８を操作できるように設けてられている。
【００２３】
作動部材１０は、シリンダ３内に上方付勢状態で下部を挿入され、上下動により容器体１００から内容物を吸上げ、外部へ吐出可能であればどのような構造でもよい。好適な図示例では、作動部材１０を、ピストンガイド１１と、ステム１２と、筒状ピストン１３と、射出筒１４とで構成しているが、この構造は適宜変更することができる。
前記ピストンガイド１１は、図示例において、下端閉塞の主筒部１１ａの下端にフランジ状弁座部１１ｂを付設するとともに前記主筒部１１ａから断面十字形の垂下壁部１１ｃを垂設してなり、前記フランジ状弁座部１１ｂとシリンダ３の下部との間にコイルスプリングＣを介装させている。
またステム１２は、図示例において、小径筒部１２ａから大径筒部１２ｂを垂設している。小径筒部１２ａは、前記主筒部１１ａの上部外面に嵌合されており、かつ前記保持筒部６ｃを通って上方へ突出している。
前記筒状ピストン１３は、主筒部１１ａに遊嵌させた内筒部１３ａと、シリンダ３内面に摺接させた外筒部１３ｂとを連結させてなり、前記ステム１２とフランジ状弁座部１１ｂとの間に昇降可能に配置されている。前記内筒部１３ａの下端とフランジ状弁座部１１ｂとで第２逆止弁Ｖ２が形成されている。
前記射出筒１４は、ステム１２の上端からトリガー８の貫通口８ｃを通って前方へ突設されており、その先端に射出口１４ａを開口している。射出筒１４の先端部内には、液体をスピン回転させて霧化するスピン部材１５を嵌合させている。図示例では、射出筒１４内に嵌合させた補助筒１６の前端にスピン部材１５を突き当てている（図３参照）。また図示例では、射出筒１４の後面を閉塞するとともに、射出筒１４の後部から垂設する脚筒部fを、ステム１２の上端部に嵌着させている。
【００２４】
正倒立用流路切替部材１７は、第１筒体１７ａと、第２筒体１７ｂとを具備する。第１筒体１７ａは、上半筒部と下半筒部とを仕切る隔壁１７ｃを有し、その上半筒部をシリンダ３の外面に嵌合する。前記隔壁１７ｃの下面から垂設する突起１７ｅに、第２筒体１７ｂの上端部を嵌合している。第２筒体１７ｂの下端部には、容器体１００の底部へ延びる吸上げパイプ１８が嵌合されている。第２筒体１７ｂの中間に形成された括れ部には通孔１７ｆが開口されている。そしてシリンダ３の下端から隔壁１７ｃを貫通するとともに、第１筒体１７ａの下半筒部及び第２筒体１７ｂの上半筒部の隙間を通って通孔１７ｆに至る共通流路１７ｇと、通孔１７ｆから第２筒体１７ｂの下半筒部を通って吸上げパイプ１８の下端に至る正立時用流路１７ｉと、通孔１７ｆから第２筒体１７ｂの上半筒部を通って前記隔壁の側面に開口する倒立時用入口１７ｄに至る倒立時用流路１７ｊとをそれぞれ形成している。第２筒体１７ｂの内部には流路切替弁Ｖ３が形成されている。
【００２５】
まず吐出スプレー本体２の機能を説明すると、装着筒部５ａを容器体１００の口頸部１０２に取り付けた後に、図１に示す正立状態からトリガー８を引くと、作動部材１０が下降し、第１逆止弁Ｖ１が閉じるとともに第２逆止弁Ｖ２が開き、シリンダ３内の液体がステム１２及び射出筒１４を通り、スピン部材１５で霧化されて、射出筒１４から円錐状に霧が放出される。 トリガー８を解放すると、作動部材１０が上昇し、第２逆止弁Ｖ２が閉じるともに第１逆止弁Ｖ１が開き、容器体内の液体が正立時用流路１７ｉ、共通流路１７ｇ、 及び第１逆止弁Ｖ１を通ってシリンダ３内に入る。倒立状態からトリガー８を引くと、容器体１００内の液体をシリンダ３内に吸引する行程において、容器体内の液体が倒立時用入口１７ｄ、倒立時用流路１７ｊ、流路切替弁Ｖ３、共通流路１７ｇ、 及び第１逆止弁Ｖ１を通ってシリンダ３内に入る。
【００２６】
筒状アダプタ２０は、固定部２２と、回転部３０とで形成されている。
【００２７】
固定部２２は、前記射出筒１４の前部に嵌着された固定筒２４を有する。
固定筒２４は、好適な図示例では、図７に示す如く、円形状の筒孔を有する四角筒状に形成されており、図２及び図３に示す如く、その左右一対の側面２４ａと下面２４ｂと上面２４ｃとはそれぞれ平坦面であるが、その形状は適宜変更することができる。
固定筒２４の一対の側面２４ａの各後部からは、図３に示すように、後述の連結片３２の係合凹部３２ａと嵌合させるための一対の凸状軸部２７を左右方向外方へ突設している。これら凸状軸部２７の突出長は、連結片３２の後端が凸状軸部の上に乗り上げて、係合凹部３２ａと凸状軸部２７とが嵌合することが可能な程度に短く設ける。図示例では、凸状軸部２７の左右方向外面の前部を、上記連結片３２の乗り上げを容易とする傾斜面２７ａに形成している。
固定筒２４の下面前部からは、図２に示す如く、後述の凸状ストッパ４２を係止するためのストッパ受部２８を下方に突設している。図示例のストッパ受部２８は、図７に示すように左右方向に長いリブとして形成されている。
前記固定筒２４の前端部は、射出筒１４の前端に開口する射出口１４ａよりも前方へ突出する突出端部２５としている。図示例では、この突出端部２５は、図２に示す如く、小内径部に形成されており、突出端部２５の後部に形成される係合段部２５ａを、射出筒１４の前端面に係止させている。
突出端部２５の前端面は、図２に示す如く、後述の回転部３０の摺接凹面３６とフィットする摺接凸面２６に形成されている。この摺接凸面２６は、左右側方から見て前記凸状軸部２７の軸線を曲率中心とする円弧状に形成されている。
また前記突出端部２５の左右方向の側部には、後述の吸気孔ｂ１を射出口１４ａと連通させる連通孔ｂ２が穿設されている。
【００２８】
回転部３０は、前記固定部２２に対して泡吐出用位置と霧吐出用位置との間で回転可能な部材であり、連結片３２と、回転筒体３４とで形成されている。まず、回転部３０が泡吐出用位置にある状態（泡吐出モードという）で回転部の構造を説明する。
【００２９】
連結片３２は、図３に示す如く、固定筒２４との枢着箇所Ｅから当該固定筒の筒軸方向前側へ延びており、図示例では、一対の連結板として形成されている。
図示の連結板の後端部には係合凹部３２ａが形成され、これら係合凹部３２ａに前述の凸状軸部２７を嵌合させることで枢着部位Ｅを形成している。もっとも固定筒に係合凹部を、連結片３２に凸状軸部を形成しても構わない。
図示の係合凹部３２ａは連結片３２の後部を貫通する孔として形成されているが、連結片３２の後部内面に形成された凹みとして形成してもよい。
さらに好適な図示例では固定筒２４の左右両側に枢着部位Ｅを設けているが、固定筒２４の上下両側に枢着部位を設け、回転部３０が左右方向に回転するように設けてもよい。
連結片３２の前部には、吸気孔ｂ１が開口されている。この吸気孔ｂ１は連通孔ｂ２を介して射出口１４ａに連通しており、吸気孔ｂ１と連通孔ｂ２とで外気導入路Ｂが形成されている。
【００３０】
回転筒体３４は、基端部３４ａを連結片３２の先端に連結させて、固定筒２４と同軸状に配置されている。図示の回転筒体３４は、前面開口の発泡用筒部３８と、発泡用筒部３８の後端から前外方へテーパ状に突出する操作用筒部４０とからなる略２重筒状に形成されているが、操作用筒部４０は省略してもよい。
発泡用筒部３８は、前記射出筒１４の筒軸方向の先方（前方）に配置されている。この状態で固定筒２４の突出端部２５及び発泡用筒部３８の各内部が連続して吐出流路Ａを形成する。この状態で、発泡用筒部３８の内周面である起泡面３９に対して、射出筒１４から円錐状に放出される霧が衝突し、前記外気導入路Ｂを介して供給される外気と混合して、吐出流路Ａの前端から泡として吐出される。
図示例では、図４に示すように、発泡用筒部３８は、先端小径のテーパ状である四角筒に形成されているが、その形状は適宜変更することができる。
発泡用筒部３８の内周面である起泡面３９は、射出筒１４の筒軸方向から見て、スピン部材１５のスピン孔と同心状の円形に形成する。
操作用筒部４０は、発泡用筒部３８より長く前方へ突出している。
回転筒体３４の基端部３４ａの後面は、前述の如く、側方から見て円弧状の摺接凹面３６に形成されている。この摺接凹面３６は固定筒２４の摺接凸面２６に対して回転部３０の回転操作時に摺動可能に当接しており、これにより、固定筒２４の先端と回転筒体３４の基端部３４ａとが液密に連接されている。
図示例では、回転筒体３４の基端部３４ａの輪郭を、図５に示す如く、下辺と上辺と左右の側辺とが直線状であるの四角形状に形成しており、その左右側辺に前記連結片３２の前端が連結されている。また基端部３４ａの下辺は下方に突出して左右に長い凸状ストッパ４２に形成している。この凸状ストッパ４２は、前述のストッパ受部２８に当接されており、これら凸状ストッパ４２とストッパ受部２８とで回転部３０の泡吐出モード用位置決め手段Ｐを形成している。
【００３１】
回転部３０は、操作用筒部４０を把持して、前記枢着部位Ｅを中心として回転させることにより、霧吐出位置へ移動させることができる（図６及び図７参照）。回転部３０が霧吐出位置へ移動した状態（霧吐出モードという）において、回転筒体３４は、射出筒１４の筒軸方向先方から完全に外れており、この状態でトリガー８を操作することにより、射出筒１４から放出される円錐状の霧が回転部３０に邪魔されずに前方へ突出される。
前記一対の連結片３２は、固定筒２４の側面２４ａに適当な強さで圧接されており、図６のように回転筒体３４が霧吐出位置へ移動した後に不意の外力などにより元の泡吐出位置へ戻ることを防止している。
再び泡吐出モードに戻すときには、操作用筒部４０を把持して、回転部３０を泡吐出用位置へ回転させるとよい。回転部３０が泡吐出用位置に復帰した時点で凸状ストッパ４２がストッパ受部２８に突き当たるので、位置決めが容易である。
連結片３２は、回転部３０の回転操作で固定筒２４の外面を摺動する摺接板部Ｓであり、当該板部の一部に吸気孔ｂ１を設けることにより、前記回転操作により、吸気孔ｂ１が連通孔ｂ２の形成位置からずれて、外気の供給を停止し、また元の位置に復帰させることで外気導入路Ｂが開通するように構成している。摺接板部Ｓである連結片３２の内面は、前記固定筒２４の側面２４ａと密接する平坦な閉塞用面３３に形成されており、吸気孔ｂ１が連通孔ｂ２からずれた状態で前記連通孔ｂ２を覆うようにしている。これにより、霧吐出モードでは連通孔ｂ２から射出口１４ａへ外気の供給が規制され、外気の流入により霧の流れが不均一になったり、霧の濃度が薄まることを防止でき、質のよい霧を吐出できる。なお、閉塞用面３３で連通孔ｂ２を密閉するように構成してもよく、これにより空気の流入を完全に遮断するとともに、連通孔ｂ２を通って液体が漏れることも防止できる。
なお、本実施形態では、連結片３２が摺接板部を兼ねているが、連通孔ｂ２の設置箇所次第では連結片３２と摺接板部Ｓとを別々に形成してもよい。
【００３２】
図８は、本実施形態の変形例を示している。本例では、固定部２２と回転部３０との間に回転部３０が霧吐出用位置にあるときに当該位置を保持する霧吐出モード用位置決め手段Ｑを設けたものである。図示例においては、霧吐出モード用位置決め手段Ｑとして、泡吐出モードを示す図８（Ａ）において、点線で図示する係止凸部ｑを前記連結片３２の内面に形成し、回転部３０を霧吐出位置に移動したときに、図８（Ｂ）に示すように、係止凸部ｑが前記連通孔ｂ２に係合して回転部３０が霧吐出用位置でロックされるように形成されている。好適な図示例では、連通孔ｂ２の形状を、枢着部位Ｅを中心とする円周（図示せず）方向に長い長方形状に、また係止凸部ｑを当該長方形の四辺に内接する楕円形状に形成している。もっともこれらの形状は適宜変更することができる。
なお、図示例と異なり、固定筒の側壁内面に係止凸部を設け、この係止凸部が霧吐出モードで吸気孔に係合するようにすることで、霧吐出モード用位置決め手段Ｑを構成してもよい。
【００３３】
以下、本発明の他の実施形態に係る実施形態を説明する。これらの説明において第１実施形態と同じ構成に関しては解説を省略する。
【００３４】
図９及び図１０は、本発明の第２実施形態に係る泡霧切替式吐出スプレーを示している。本実施形態では、第１実施形態の外気導入路の構成を変更したものである。すなわち、前述のように連結片３２に吸気孔を、また突出端部２５に連通孔をそれぞれ形成する代わりに、突出端部２５の円弧状の摺接凸面２６の一部を面取りして平坦形状とし、この平坦部分と、回転部３０の基端部３４ａの摺接凹面３６との間に隙間ｂ４を形成するとともに、回転筒体３４の基端部３４ａで前記隙間ｂ４から発泡用筒部３８及び操作用筒部４０の間を通って前方（図示例では筒軸方向前側）へ延びる貫通孔ｂ３を穿設する。そしてこれら隙間ｂ４及び貫通孔ｂ３を連続させて、外気導入路Ｂを形成している。この構造は適宜変更することができ、肉厚の単一の筒体に形成された回転筒体の筒壁を通って前端面側へ貫通孔を穿設しても構わない。これらの構成では、筒体の筒径方向に孔を貫通させる必要がないので、固定部２２及び回転部３０を金型成形するときに成形が容易となる。
なお、図示例では、一対の貫通孔ｂ３を開示しているが、貫通孔ｂ３の数は適宜変更することができるものとし、例えば一つの貫通孔でも構わない。
【００３５】
図１１及び図１２は、本発明の第３実施形態に係る泡霧切替式吐出スプレーを示している。本実施形態では、第２実施形態の平坦部及び間隙に代えて、突出端部２５の周方向の一部に切欠きｂ５を設け、これら貫通孔ｂ３及び切欠きｂ５を連続させて、外気導入路Ｂを形成している。図示例では、一対の切欠きｂ５を開示しているが、切欠きｂ５の数は適宜変更することができるものとし、一つの切欠きでも構わない。
【符号の説明】
【００３６】
２…スプレー本体  
３…シリンダ  ３ａ…シリンダ周壁  ３ｂ…鍔部  ３ｃ…取付筒部
４…キャップ状部材  ５…下半部材  ５ａ…装着筒部  ５ｂ…内向きフランジ
６…上半部材  ６ａ…縦筒部  ６ｂ…フランジ状頂壁  ６ｃ…保持筒部
７…支持片  ７ａ…後壁部  ７ｂ…側壁部  ７ｃ…軸受凹部  ７ｄ…第１枢着部
８…トリガー  ８ａ…頂板  ８b…側板  ８c…貫通口  ８d…第２枢着部
９…ストッパ部材  ９ａ…係合板部  ９ｂ…軸棒部  ９ｃ…摘み部
１０…作動部材
１１…ピストンガイド  １１ａ…主筒部  １１ｂ…フランジ状弁座部  １１ｃ…突起部
１２…ステム  １２ａ…小径筒部  １２ｂ…大径筒部
１３…筒状ピストン  １３ａ…内筒部  １３ｂ…外筒部
１４…射出筒  １４ａ…射出口  １５…スピン部材  １６…補助筒
１７…正倒立用流路切替部材  １７ａ…第１筒体  １７ｂ…第２筒体
１７ｃ…隔壁  １７ｄ…倒立時用吸入口  １７ｅ…突起  １７ｆ…透孔
１７ｇ…共通流路  １７ｉ…正立時用流路  １７ｊ…倒立時用流路
１８…吸上げパイプ
２０…筒状アダプタ  ２２…固定部
２４…固定筒  ２４ａ…側面  ２４ｂ…下面  ２４ｃ…上面  ２５…突出端部
２５ａ…係合段部  ２６…摺接凸面  ２７…凸状軸部  ２７ａ…傾斜面
２８…ストッパ受部
３０…回転部  ３２…連結片（連結板）  ３２ａ…係合凹部  ３３…閉塞用面
３４…回転筒体  ３４ａ…基端部  ３６…摺接凹面  ３８…発泡用筒部  ３９…起泡面
４０…操作用筒部
４２…凸状ストッパ  
１００…容器体  １０２…口頸部
Ａ…吐出流路  Ｂ…外気導入路  ｂ１…吸気孔  ｂ２…連通孔  ｂ３…貫通孔
ｂ４…隙間  ｂ５…切欠き
Ｃ…コイルスプリング  Ｅ…枢着部位  ｆ…脚筒部  Ｐ…泡吐出モード用位置決め手段
Ｑ…霧吐出モード用位置決め手段  ｑ…係止凸部
Ｓ…摺接板部  
Ｖ１…第１逆止弁  Ｖ２…第２逆止弁  Ｖ３…流路切替弁
【図１】
2019130478.tif 000003
【図２】
2019130478.tif 000004
【図３】
2019130478.tif 000005
【図４】
2019130478.tif 000006
【図５】
2019130478.tif 000007
【図６】
2019130478.tif 000008
【図７】
2019130478.tif 000009
【図８】
2019130478.tif 000010
【図９】
2019130478.tif 000011
【図１０】
2019130478.tif 000012
【図１１】
2019130478.tif 000013
【図１２】
2019130478.tif 000014